(57)【要約】      （修正有）【課題】基礎段差有りも固定ネジ開閉する事によって簡単に寸法が出せ、メジ埋め工程を無くし、寸法積み込み接続等を、レベル金具によって簡単に施工出来る様に、又基礎とブロック接地面の強度を強化させブロック塀等の崩壊を無くするブロックを提供する。【解決手段】ネジを開閉しレベル寸法を即出す仕組み構造にした。本体ブロックに凹凸形状等を設けた事で他の接続面の離脱を無くし、更に縦横の強度を増加させた。横接続は凹にピンを固定した構造で、凸を組合わせる事で横接続出来る。基礎に固定された縦繋ぎ金具は、基礎内部に固定される事でブロックの空洞化に収まり、モルタルを流し込む事で基礎の密着強度を増加させる。又ブロック本体の対して左右側に縦切り込みを設け、同位置に凹凸ホゾを付けた事で、縦切り込みは横振動に大要し、凹凸ホゾはブロック離脱を防ぎ、過去のメジ空間を無くし、接続強度を強化させた。【選択図】図７
2004316389.tif 000002
【特許請求の範囲】
【請求項１】
立体図切り込み勾配形状コンクリートブロック。
【請求項２】
ブロック内部ネジパイプ固定寸法仕組み。
【請求項３】
縦切り込み凹凸オス，メス形状同位置凹凸勾配ホゾ縦切り込み形状。
【請求項４】
凹凸ホゾ部分ピン固定仕組み。
【請求項５】
回転レベル出し方式（強震防止金具並びに接続金具一式。
【発明の詳細な説明】
【０００１】コンクリートブロック一個に対して，左右に凹凸を付けた物である。ａ１凹ホゾは高さ中心より少し下げた位置に対し，上部方向に勾配を設け切り込んだ物である。
図７の凹形状になっている。
【０００２】ａ２凸ホゾは高さ中心より少し下げた位置に対し，上部方向に向けてａ１同勾配に切り込んだ物である。
凸形状は図７参照
【０００３】ネジパイプは，ブロック内部に固定した構造である。
其の形状は図４のａ５，ａ６位置に固定されている。
【０００４】図４のＡブロックは一段目初期積み出しブロックで．ネジパイプは図のＡ位置に三箇所固定されている。
ネジ部分はブロック下面凸の位置に固定してある。
【０００５】ネジパイプのａ５ａ６内部にボルトを挿入し，レベル寸法を出す仕組みになっている。
【０００６】一段目突起部分図２のＵは，ブロック高さに対して凹切り込み部分の中心に固定した物である。
固定したａ６の凹の切り込み下面に対して図２のＵは数センチ突き出ている。
【０００７】一段目積み込みは，初期ブロック以外は全て凹部分のネジで寸法を出す仕組みにできている。
【０００８】凸部分は全てのブロックに図３のａ５ザクリ穴を設けてある。
【０００９】二段目以降ブロックは凹凸形状は同であるが，凹に対してネジパイプ固定位置と同じにピンを突起させ固定した物である。
【００１０】凹凸付コンクリートブロックは，ブロック接続面の強度を強化させる為，図７の縦切り込みに対して，凹凸を設けその凹凸に対して先端方向に勾配を付けた物である。
この仕組み効果は後に説明する。
【００１１】一段目ブロックに対しては，積み込み前工程においてネジを少し長めに出して置く事。
【００１２】一段目ブロックは全てレベル出し仕組みになっている。
【００１３】凹凸付ブロックは，全てのブロックに接続離脱防止仕組みがしてある。図８参照。
【００１４】下記記載の強震防止支柱金具Ｅは，本発明ブロックにも適用する。ブロックと基礎の密着強度を増加させる為に用いる。
更に凹凸付ブロックは本体に強度を持たせたブロックで，二段目以降は金具を一切不要とする。
【００１５】Ｅ金具は凹凸付ブロックの寸法出しにも大要出来る仕組みになっている。図８参照後，  図１３の左ＷＥ形状を用いる。
【００１６】図１４の強震防止支柱金具Ｅを一般ブロック積載に使用する場合は，Ｅに付属しているワンタッチレベル金具Ｐを回転させるとレベル寸法が正確に出せる仕組みに出来ている。
レベル金具Ｗは遊びを持った状態で，寸法を出したＰの上部に収まる。
収まったＰとＷの上に位置するナットを閉める。
【００１７】Ｅは基礎内部に図１３基礎断面図の形状で埋め込む。
ＥはＧＬ基礎面に対して，Ｅの埋め込み印し目安に埋め込む。
コーナー金具Ｌも同工程で行う。
【００１８】縦接続は図１４のＥにＥ１のＧをネジ込む。
又コーナー金具及び全ての金具にＥ１を縦にＥの上部ボルトに縦繋ぎ工程を行う。
【００１９】横接続金具は，ブロック積み込み寸法誤差に大要する仕組みに出来ている。
寸法誤差を調整する構造は，図１５のＷ１とＷＬ２がスライドする仕組み。
又，Ｗは三方に接続できる仕組み構造で，直，Ｔ，Ｌの接続に大要できる。
【００２０  】
【発明の属する技術分野】
本発明は凹凸付コンクリートブロックを用い，建築及びブロック塀等の強度強化並びに，作業工程に関する方法。
又回転式金具によって即レベルを出す仕組み，又ブロック等が簡単に積めるその構造に関する。
【００２１】
【従来の技術】
過去現在もブロック積みするに当たって定盤基礎を設け，更に基礎レベル寸法が要求される。
【００２２】更に現状ブロックは縦横の接続面が平坦の為に，ブロック積み込み時互いに空間を設け接続している。
【００２３】積み込んだブロックはメジ部分の空間が空く為に，モルタルを用いその部分にメジ埋め増工程をしている。
【００２４】又積載したブロックは，縦メジ横メジを含め，更に縦芯左右の起きを出す事は熟練した経験が要求される。
更にモルタル練り具合によって値崩れを起こす為に積載が困難となる。
【００２５】又積載構造が縦筋横筋の繋ぎ部分が単独で，互いに縦横が弱い為に，モルタルを用いて繋ぎ部分の強度を持たせている。
現状のブロック積み込み構造では，低振動にも耐え難く，ひび割れ崩壊を招く原因となっている。
【００２６】又現在のブロック積載接続工法では，積み込み作業時間がかかりよってブロック価格に対して工事費用がかさむ。
【００２７】
【発明が解決しようとする課題】
ブロック接続が簡単に出来て，且つ接続面の強度を更に強化させる事。
【００２８】レベル寸法を誰でも即簡単に出せる様にする事。
【００２９】作業工程を大幅に削減し時間を短縮する事。
【００３０】ブロック本体の強度を強化させる事。
【００３１】
【課題を解決するための手段】
上記記載の課題を請求１，２，３，４，５を用いその課題を解決する。
【００３２】請求項１の立体図形状はブロック本体強度を強化させる形状で，更に積載工程を簡単に出来る仕組みにした。
【００３３】本発明凹凸付コンクリートブロックは固定内部ネジパイプにネシを挿入し開閉する事でレベル寸法が簡単に出せる仕組みにした。
【００３４】ブロック接地面のひび割れを無くす為に，離脱防止を設けた。
凹に対して図５のトツ部分に図６を落とし込む事によって，固定されたピンに対して凸のザグリ穴にかみ合う事で，接続面の強度を増加させた。
更に接続工程が簡単に出来る構造にした。
【００３５】又図７形状は全て同で，凹凸は縦長切り込み形状でＳにＳ１を中心位置から差し込み，下部に向けて差し込むと凹凸ホゾも同時に接続となる。
凹はネジパイプ並びにピントツ部に収まる事で，離脱を無くし，縦切り込みは縦横芯を正確に出し，更に左右側強度を強化させ崩壊を防ぐ仕組み構造にした。
【００３６】更にブロック本体に対して上下凹凸勾配切り込みは全て同じ形状である。
図２の凹勾配切り込み溝１０は，横筋空間を設け，又其の上にモルタルＭの空間を取り，凹凸が同勾配に収まる事で空間部分を無くし，型にはまった状態で密着させ上下を強化させる。
更に横の接地面幅を大きく設ける事で横振にも大要出来る仕組みにした。
【００３７】強震防止支柱金具は，困難とされたレベル寸法をより早く正確に出し，金具接続仕組で支柱レベル寸法と同じになる仕組にした。  其の構造に更に三方接続後レベル寸法が同じになる仕組みに出来ている。
【００３８】
【実施例】一般ブロックを対象に下記実施の説明とする。
強震防止支柱金具Ｅに付属するＦに対して，横加工筋ＨをＦに差し込み基礎内部に埋め込む際に，其のＥはＧＬ印しを目安とする。
Ｅは固定された後にＥに付属するＰを回転させると同時にＷも遊びを持った状態でレベル寸法に大要し，その上部に位置するナットを閉める。
この状態で支柱Ｅのレベル寸法が設定となる。
【００３９】横接続は支柱ＥのＷに設けたＹの穴にＷ１を接続する。
接続したＷ１内部にＷＬ２を差し込みネジ部分位置で接続する。
【００４０】接続したＷ１とＷＬ２はブロック半端数に対してスライドさせて大要する。
接続工程はブロック積み込み面積に対して金具を全て接続して置く。
【００４１】接続金具はその状態で置き，
強震支柱金具は，図１４のＥ上部にＧをつなぎ又他の支柱も同工程で繋ぐ。
Ｅは縦繋ぎの後，コーナー位置部分の強震支柱金具にブロック空洞穴をＥに差し込みＷの上に載せ順を追って接続する。
一段目接続後Ｆ１の穴Ｆに加工横筋Ｈを互いのＦに落とし込む事で横の接続となる。
横筋Ｈ接続後モルタルを流し込む。
この状態で更に縦の繋ぎを行う。
Ｅに接続されたＥ１上部のＧ１にＥ２を繋ぐ，以降同工程で接続する。
又ブロック積み込み工程は同じ工程で行う。
強震防止支柱金具によってレベル寸法を正確に出す事が可能になり，よってブロックの積載が誰でも簡単に積む事が出来た。
【００４２】本発明凹凸勾配付コンクリートブロック立体図を基準に説明する。強震防止支柱金具は図１３の左図ＷＥを基礎に収める。
ＷＥは埋め込み印しを目安に基礎に全て収める。
積み込み工程は，基礎上部にモルタルを載せてＷＥに図４のＡ積み出しブロックにａ５ａ６の固定内部ネジに１７ネジを挿入した後に，図１１の２０ドライバーを用いａ５ａ６を開閉する。
ネジはブロック下部に対して少し長めに出して置く。
この状態で固定されたＷＥに対してブロック空洞部分をＷＥに収める。
収めたａ５ａ６のネジをレベル糸に習って下げて寸法を出す。
【００４３】寸法を出した凹ａ６に対して図４のａ１を接続する。
接続したａ１の反対部分の凹ａ２のネジを糸に習って下げて寸法を出す。
接続されたブロック凹ａ２の接続に対しては，他の一段目ブロックをＡ２の凹に他の凸部分を接続する。
一段目接続工程は全て同工程で行う。
この工程手順を持って一段目接続完了となる。
【００４４】一段目接続終了ご，ＷＥに縦繋ぎしたＥ２のＦに対して加工横筋Ｈを，左右のＦに落とし込む事で横筋の接続となる。
【００４５】この状態でモルタルを流し込むと，ＷＥに繋いだＥ２縦繋ぎ部分が埋まってしまう為に，縦繋ぎを先に行ってからモルタルを流し込む事。
【００４６】この手順を持ってモルタルを流し込み，その上にブロックを積み込む。
積み込んだブロックは，下部ブロックの本体中心位置に上段ブロックを積み込む。
以降二段目は同工程で積み込みする。
【００４７】三段目積み込み工程は，二段目積載後ブロック上部空間にモルタルを流し込み，其の上にブロックを載せ積み込みとなる。
【００４８】接続は凹側のピンに凸部分を落とし込むだけで接続となり，又離脱防止の主となる。
【００４９】以降積み込みは同工程で行う。
高さ積載寸法まで積み込み終了後図１０の２３を載せて完成となった。
【００５０】強震防止支柱金具ＷＥは凹凸付ブロックに対しても下部位置より寸法出しが可能で，実施例に対してブロック下部寸法出しを不要とした。
【００５１】
【発明の効果】
本発明凹凸付コンクリートブロックは，固定内部のネジを開閉する事で即レベル寸法が出せる様になった。
【００５２】
更にブロック本体に対して，縦切り込み形状並びに凹凸ホゾを設けた事で，縦切り込みは縦芯を正確に出し，又ブロックの転びを防ぎ更にメジ部分の空間を無くす事が出来た。
凹凸ホゾ互いにピンに組み込まれる構造で，接続強度を強化し，接続の離脱を無くす事が出来た。
【００５３】
更にブロック本体上下に勾配切り込み凹凸形状設けた事によって，図２の鉄筋が空洞化に収まり，ルタルを十二分に置く事で接地面の強度を高め凹凸の密着強度が増した。
更に横の接地面を大きく設けた事で，横の振動にも大要出来る構造にした。
【００５４】
強震防止支柱金具は，回転させる事で寸法を即座に出し，又金具を支柱に接続するだけで，即施工出来る仕組みにした。
【００５５】
更に金具一式を用いる事でブロック塀等の基礎並びに全体の強度を持たせ，地震台風災害を防ぐ構造にした。
よって此処に上記記載の問題点を解決した。
本発明は一体型コンクリートブロックを用い，上記問題点を此処に解決し，今期最良のブロックを提供し，社会に少しでも貢献出来る事を日々願う者である。
【図面の簡単な説明】
【図１】立体図
【図２】断面図
【図３】断面図
【図４】一段目平面図
【図５】二段目断面図
【図６】二段目断面図
【図７】二段目縦切り込み図
【図８】離脱防止仕組み図
【図９】コーナー組み立て図
【図１０】縦施工完成図
【図１１】部品図
【図１２】強震防止金具配置図
【図１３】基礎断面図
【図１４】部品図
【図１５】接続金具平面図，面図
【図１】
2004316389.tif 000003
【図２】
2004316389.tif 000004
【図３】
2004316389.tif 000005
【図４】
2004316389.tif 000006
【図５】
2004316389.tif 000007
【図６】
2004316389.tif 000008
【図７】
2004316389.tif 000009
【図８】
2004316389.tif 000010
【図９】
2004316389.tif 000011
【図１０】
2004316389.tif 000012
【図１１】
2004316389.tif 000013
【図１２】
2004316389.tif 000014
【図１３】
2004316389.tif 000015
【図１４】
2004316389.tif 000016
【図１５】
2004316389.tif 000017